(57)【要約】【課題】  原稿画像においてユーザーが削除したい部分を適切に選択することができる画像読取装置を得る。【解決手段】  画像読取部１２は、原稿から原稿画像を読み取る。指定色特定部２１は、１または複数の指定色を特定し、指定文字種特定部２２は、指定文字種を特定する。そして、画像処理部２３は、原稿画像において、指定された指定色でありかつ指定された指定文字種である文字を特定し、特定した文字を削除する。【選択図】  図１
2018182682.tif 000002
【特許請求の範囲】
【請求項１】
原稿から原稿画像を読み取る画像読取部と、
１または複数の指定色を特定する指定色特定部と、
指定文字種を特定する指定文字種特定部と、
前記原稿画像において、指定された前記指定色でありかつ指定された前記指定文字種である文字を特定し、特定した前記文字を削除する画像処理部と、
を備えることを特徴とする画像読取装置。
【請求項２】
前記指定文字種特定部は、所定の複数の文字種から、指定文字種を特定し、
前記複数の文字種は、手書き文字を含むこと、
を特徴とする請求項１記載の画像読取装置。
【請求項３】
前記文字の削除に使用された前記指定色および前記指定文字種を含む削除条件を、ユーザーごとに所定の記憶装置に記憶する削除条件管理部をさらに備え、
前記指定色特定部は、ユーザーに対応して前記記憶装置に記憶されている前記削除条件に基づいて前記指定色を特定し、
前記指定文字種特定部は、前記ユーザーに対応して前記記憶装置に記憶されている前記削除条件に基づいて前記指定文字種を特定すること、
を特徴とする請求項１記載の画像読取装置。
【請求項４】
前記指定色特定部は、前記原稿画像内で、特定態様の枠を検出し、前記枠内で検出される色を、前記指定色として特定することを特徴とする請求項１記載の画像読取装置。
【発明の詳細な説明】
【技術分野】
【０００１】
本発明は、画像読取装置に関するものである。
【背景技術】
【０００２】
ある画像形成装置は、オペレーターにより指定された所定の色を特定し、原稿画像におけるその特定色の部分を削除する（例えば特許文献１参照）。
【先行技術文献】
【特許文献】
【０００３】
【特許文献１】特開平９−２１４７８２号公報
【発明の概要】
【発明が解決しようとする課題】
【０００４】
しかしながら、上述の画像形成装置では、単色の原稿画像の場合、削除したい部分を選択することができない。また、原稿画像において、特定の色の部分のうち、削除したい部分と削除したくない部分とがある場合、上述の画像形成装置では、特定の色のうち、削除したい部分のみを削除することが困難である。
【０００５】
本発明は、上記の問題に鑑みてなされたものであり、原稿画像においてユーザーが削除したい部分を適切に選択することができる画像読取装置を得ることを目的とする。
【課題を解決するための手段】
【０００６】
本発明に係る画像読取装置は、原稿から原稿画像を読み取る画像読取部と、１または複数の指定色を特定する指定色特定部と、指定文字種を特定する指定文字種特定部と、前記原稿画像において、指定された前記指定色でありかつ指定された前記指定文字種である文字を特定し、特定した前記文字を削除する画像処理部とを備える。
【発明の効果】
【０００７】
本発明によれば、原稿画像においてユーザーが削除したい部分を適切に選択することができる画像読取装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像読取装置の構成を示すブロック図である。
【図２】図２は、原稿の一例を示す図である。
【発明を実施するための形態】
【００１０】
以下、図に基づいて本発明の実施の形態を説明する。
【００１１】
図１は、本発明の実施の形態に係る画像読取装置の構成を示すブロック図である。図１に示す画像形成装置１は、複写機である。ただし、画像読取装置１は、スキャナー機、複合機などでもよい。
【００１２】
図１に示す画像形成装置１は、印刷装置１１と、画像読取部１２と、操作パネル１３と、コントローラー１４と、記憶装置１５とを備える。
【００１３】
印刷装置１１は、画像データに基づいて原稿画像を印刷する内部装置である。印刷装置１１は、例えば、画像読取部１２により生成された原稿画像の画像データに対して画像処理装置１５により所定の画像処理が行われることで得られる画像データに基づいて原稿画像を印刷する。
【００１４】
画像読取部１２は、原稿から原稿画像を光学的に読み取り、原稿画像の画像データを生成する内部装置である。
【００１５】
操作パネル１３は、液晶ディスプレイなどの表示装置およびタッチパネル、ハードキーなどの入力装置を備える。表示装置は、ユーザーに対して操作画面を表示する。入力装置は、操作画面に対するユーザー操作を検出する。
【００１６】
コントローラー１４は、画像読取部１２などで生成された画像データに対して所定の画像処理を行う。
【００１７】
コントローラー１４は、ＡＳＩＣ（Application Specific Integrated Circuit）やマイクロコンピューターを備え、各種処理部として動作する。
【００１８】
記憶装置１５は、フラッシュメモリーなどといった不揮発性で書換可能な記憶装置である。記憶装置１５には、各種データやプログラムが記憶される。
【００１９】
そして、コントローラー１４は、指定色特定部２１、指定文字種特定部２２、画像処理部２３、および削除条件管理部２４として動作する。
【００２０】
図２は、原稿の一例を示す図である。図２に示す原稿は、特定色（例えば赤色）のサンセリフ体の文字、特定色以外の色（例えば黒色や青色）のサンセリフ体の文字、特定色のセリフ体の文字、特定色以外の色のセリフ体の文字、特定色の手書き文字、特定色以外の色の手書き文字、および枠４１を含んでいる。
【００２１】
指定色特定部２１は、ユーザーにより指定される１または複数の指定色を特定する。
【００２２】
例えば、指定色特定部２１は、操作パネル１３に複数の色のリストを表示し、そのリストから色を選択するユーザー操作を操作パネル１３で検出し、選択された色を指定色として特定する。
【００２３】
また、指定色特定部２１は、原稿画像内で、特定態様の枠を検出し、その枠内で検出される色を、指定色として特定するようにしてもよい。例えば、特定態様の枠は、例えば枠４１のような二重線の矩形の枠とされる。
【００２４】
例えば、ユーザーは、上述の枠４１を原稿に描き、その枠４１内に、指定すべき色の線や文字などを描く。そして、指定色特定部２１は、原稿画像内で、その枠４１を検出し、その枠４１内で検出される色を、指定色として特定する。
【００２５】
指定文字種特定部２２は、ユーザーにより指定される指定文字種を特定する。
【００２６】
この実施の形態では、指定文字種特定部２２は、所定の複数の文字種から、指定文字種を特定する。この複数の文字種には、例えば、上述の原稿のように、サンセリフ体の文字、セリフ体の文字、および手書き文字が含まれる。つまり、この複数の文字種には、異なるフォント（例えばパーソナルコンピューターに標準搭載されているフォント）が含まれる。
【００２７】
画像処理部２３は、読み取られた原稿画像において、指定された指定色でありかつ指定された指定文字種である文字を特定し、特定した文字を削除する。特定した文字が削除された原稿画像は、例えば印刷装置１１により印刷される。なお、このとき、画像処理部２３は、上述の枠４１および枠内４１のオブジェクトを併せて削除するようにしてもよい。
【００２８】
削除条件管理部２４は、上述の文字の削除に使用された指定色および指定文字種を含む削除条件を、ユーザーごとに記憶装置１５に記憶する。指定色特定部２１は、ユーザーに対応して記憶装置１５に記憶されている削除条件に基づいて指定色を特定し、指定文字種特定部２２は、ユーザーに対応して記憶装置１５に記憶されている削除条件に基づいて指定文字種を特定するようにしてもよい。
【００２９】
次に、上記画像読取装置の動作について説明する。
【００３０】
操作パネル１３により所定のユーザー操作が検出されると、コントローラー１４は、画像読取部１２を制御して、画像読取部１２に、原稿から原稿画像を読み取らせる。
【００３１】
次に、指定色特定部２１および指定文字種特定部２２は、操作パネル１３で検出されるユーザー操作に基づいて、上述のようにして、指定色および指定文字種を特定する。
【００３２】
あるいは、操作パネル１３で検出されるユーザー操作に基づいて、指定色特定部２１および指定文字種特定部２２は、記憶装置１５に記憶されている削除条件に含まれる指定色および指定文字種を選択する。
【００３３】
そして、画像処理部２３は、ＯＣＲ（Optical Character Recognition）技術などを使用して、原稿画像において、その指定色でありかつその指定文字種である文字を特定し、特定した文字を削除する。
【００３４】
例えば図２に示す原稿の場合、ユーザーは、手書き文字のうち、「社外秘」という文字は削除せずに「２０１７．３．３」という文字は削除したい場合、手書き文字および特定色を指定することで、画像処理部２３は、原稿画像における「社外秘」という文字は削除せず、「２０１７．３．３」という文字は削除する。
【００３５】
以上のように、上記実施の形態によれば、画像読取部１２は、原稿から原稿画像を読み取る。指定色特定部２１は、１または複数の指定色を特定し、指定文字種特定部２２は、指定文字種を特定する。そして、画像処理部２３は、原稿画像において、指定された指定色でありかつ指定された指定文字種である文字を特定し、特定した文字を削除する。
【００３６】
これにより、原稿画像においてユーザーが削除したい部分を適切に選択することができる。
【００３７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００３８】
例えば、上記実施の形態において、画像処理部２３は、特定した文字を削除する前に、削除前の原稿または削除後の原稿のプレビュー画像を操作パネル１３に表示し、所定のユーザー操作が操作パネル１３により検出された後、特定した文字を削除するようにしてもよい。
【産業上の利用可能性】
【００３９】
本発明は、例えば、画像読取装置に適用可能である。
【符号の説明】
【００４０】
１  画像読取装置
１２  画像読取部
１５  記憶装置
２１  指定色特定部
２２  指定文字種特定部
２３  画像処理部
２４  削除条件管理部
【図１】
2018182682.tif 000003
【図２】
2018182682.tif 000004